(57)【要約】      （修正有）【課題】カラーコーン（登録商標）、コーンバー等の保安用具を乗せて運搬し、一貫しての作業で工事現場の安全柵を設置する事で、体に掛る負荷の低減、作業の機敏性、作業性の能率化、安全作業の確保ができる保安用具の台車を提供する。【解決手段】保安用具の台車は、底盤１に縦コ字型支柱を後方に付け、左右の縦支柱部の一方の上側にコーンバーを挟み込む上側Ｕ字型金物３を付け、コーンバーの長さに関係なく挟み込みが出来る。又上側Ｕ字型金物の下側に下側Ｕ字型金物４を設け、コーンバーの他方の端の取付リングを通してコーンバーを乗せる。カラーコーンは底盤の中央に設けた縦板被せ金物５に被せて重ね積みにする。コーンバーを乗せていない他方側からカラーコーン、コーンバーの取り出しが出来る。底盤の裏側の後方の左右に車輪７と四角に立棒６を取付け、車輪で台車に成り、立棒で足とストッパーとなる。【選択図】図１
0003231244.tif 000002
【実用新案登録請求の範囲】
【請求項１】
底盤（１）の後方に縦コ字型支柱（２）を設け、縦コ字型支柱（２）の左右どちらか一方の縦支柱部（２ａ又は２ｂ）の上部側にコーンバー（１０）を挟み込む上側Ｕ字型金物（３）を取付け、下部側にコーンバー（１０）の端に一体と成ったコーンバーの取付リング（１０ａ）を通す下側Ｕ字型金物（４）とを取付け、底盤（１）の裏側の後方の左右に車輪（７）と四角に車輪（７）を浮かす為の車輪（７）より高い立棒（６）を取付け、底盤（１）の中央にカラーコーン（１１）を被せる為の複数枚の縦板で構成された縦板被せ金物（５）を取付ける事を特徴とする保安用具の台車。
【請求項２】
上側Ｕ字型金物（３）の内側にコーンバー（１０）の滑りを防止する複数本の丸棒を上側Ｕ字型金物（３）の隙間の内側に縦向けに滑り止め（１４）として取り付ける事を特徴とする請求項１に記載の保安用具の台車。
【請求項３】
左右の縦支柱部（２ａ，２ｂ）の間に上側と下側に回転筒（１３）を縦コ字型支柱（２）よりも後へ突き出るように取付ける事を特徴とする請求項１又は請求項２に記載の保安用具の台車。
【請求項４】
縦コ字型支柱（２）の上側横辺部（２ｃ）の左右にＬ字状の取手（８ａ）を取付け、左右の縦支柱部（２ａ，２ｂ）に紐（１２）を通すフック（９）を取付け、底盤（１）の前面の中央部にコ字型の取手（８ｂ）を取付ける事を特徴する請求項１〜３のいずれか１項に記載の保安用具の台車。
【考案の詳細な説明】
【技術分野】
【０００１】
本考案は、カラーコーンとそれに付随のコーンバーの保安用具を乗せて運ぶ台車に関するものである。
【背景技術】
【０００２】
工事現場に於いて安全柵として設置するカラーコーン、コーンバー等の設置、配置は人力で運び設置する方法しか無った、又カラーコーン、コーンバー等を車両に積込む時は場所を取り、整理整頓が出来なかった。
【先行技術文献】
【特許文献】
【０００３】
【特許文献１】実様新案登録第３２２７３１８
【考案の概要】
【考案が解決しようとする課題】
【０００４】
実様新案登録第３２２７３１８号公報の課題（本考案はこの文献の改良である）を記載する。この考案のボンベ吊台は単にボンベを台車に乗せ、現場に降ろすと言う考案で、本考案の様にカラーコーン、コーンバー等の保安用具を台車に乗せて個々の物を運ぶ様な事は出来なかった。
本考案の保安用具の台車は、工事現場に於いて安全柵として設置するカラーコーン、コーンバー等の保安用具を積込みして、それを車両で工事現場迄運搬をして、積み替へ無しでそのまま保安用具の台車を車両から降ろし、工事現場の安全柵の設置が一貫して出来る物で，交通の激しい場所であり、敏速で手際よく行はれなければ成らず、それらの解決として、保安用具の台車の使用に依り、体の負荷の低減と、作業の機敏性、作業の能率化、作業の安全性、車両内の整理整頓を解決するものである。
【課題を解決するための手段】
【０００５】
本考案の保安用具の台車は、底盤（１）の後方に縦コ字型支柱（２）を設け、縦コ字型支柱（２）の左右どちらか一方の縦支柱部（２ａ又は２ｂ）の上部側にコーンバー（１０）を挟み込む上側Ｕ字型金物（３）を取付け、下部側にコーンバー（１０）の端に一体と成ったコーンバーの取付リング（１０ａ）を通す下側Ｕ字型金物（４）とを取付ける。底盤（１）の裏側の後方の左右に車輪（７）と四角に車輪（７）を浮かす為の車輪（７）より高い立棒（６）を取付ける。底盤（１）の中央にカラーコーン（１１）を被せる為の複数枚の縦板で構成された縦板被せ金物（５）を取付けることを特徴とする。
また、本考案の保安用具の台車では、上側Ｕ字型金物（３）の内側にコーンバー（１０）の滑りを防止する複数本の丸棒を上側Ｕ字型金物（３）の隙間の内側に縦向けに滑り止め（１４）として取り付けてもよい。
また、本考案の保安用具の台車では、左右の縦支柱部（２ａ，２ｂ）の間に上側と下側に回転筒（１３）を縦コ字型支柱（２）よりも後へ突き出るように取付けてもよい。
また、本考案の保安用具の台車では、縦コ字型支柱（２）の上側横辺部（２ｃ）の左右にＬ字状の取手（８ａ）を取付け、左右の縦支柱部（２ａ，２ｂ）に紐（１２）を通すフック（９）を取付け、底盤（１）の前面の中央部にコ字型の取手（８ｂ）を取付けてもよい。
【考案の効果】
【０００６】
本考案の保安用具の台車は、カラーコーン（１１）やそれに付随するコーンバー（１０）の保安用具を、この保安用具の台車に複数個乗せて、それを車両で工事現場迄運搬をして、積み替へ無しでそのまま保安用具の台車を車両から降ろし、工事現場の安全柵の設置が一貫して出来る物で、カラーコーン（１１）やコーンバー（１０）の保安用具を一個毎に工事現場の安全柵に設置が出来て、従来の様にカラーコーン（１１）とコーンバー（１０）を肩に担いでの作業に比べて、体力の負荷の低減、作業の機敏性、作業能率の向上、安全作業、が優れている、又保安用具の台車に保安用具を乗せたまま、車両に積み込む事が出来て、立積み、横積み、が両方出来る保安用具の台車で、カラーコーン（１１）、コーンバー（１０）の保安用具を保安用具の台車に乗せて車両に積込む事で場所も取らず車両内が整理整頓が出来る、保安用具の台車の横積みの時は、縦コ字型支柱（２）の背後に取り付けた、回転筒（１３）により床上を移動し、底盤（１）の前面に付けたコ字型の取手（８ｂ）でスムーズに押し込みが出来る
【図面の簡単な説明】
【０００７】
【図１】本考案の保安用具の台車の斜視図である。
【図２】本考案の保安用具の台車の横面を示す図であり、（ａ）は台車全体を示す図、（ｂ）は上側Ｕ字金物（３）の隙間の内側を示す図、（ｃ）は上側Ｕ字金物（３）を上から見た図、（ｄ）はコーンバー（１０）を乗せた状態を示す図、（ｅ）は下側Ｕ字金物（４）を上から見た図である。
【図３】本考案の保安用具の台車にカラーコーンとコーンバーの保安用具を乗せた状態を示す図である。
【考案を実施するための形態】
【０００８】
本考案の保安用具の台車は、その土台と成る底盤（１）の後側に縦コ字型支柱（２）を取付け、その上側の上側横辺部（２ｃ）の左右に台車を押す為のＬ字状の取手（８ａ）を取付ける。
【０００９】
底盤（１）の中央にカラーコーン（１１）を保安用具の台車に乗せて運ぶ時の転落防止にカラーコーン（１１）の内円周に沿わして複数本の縦板を取付けられて、構成されている縦板被せ金物（５）が設けられ、縦板被せ金物（５）に弾力性を持たせ、それらにカラーコーン（１１）を被せてカラーコーン（１１）にヒットさせて重ね積みをする。左右の縦支柱部（２ａ、２ｂ）の中程に、カラーコーン（１１）を重ね積みの時に、それらの横転防止の為にフック（９）を取付けそれに紐（１２）を通してカラーコーン（１１）を押さえる。
【００１０】
一方の縦支柱部（２ａか２ｂ）にコーンバー（１０）を乗せる為の上側Ｕ字型金物（３）を上側に付け、その隙間にコーンバー（１０）の長さに関係なく挟み込みが出来る、その挟み込んだコーンバー（１０）が滑り倒れがない様に、上側Ｕ字型金物（３）の隙間の内側に複数本の丸棒を縦向けに取付て滑り止め（１４）にする、上側Ｕ字型金物（３）の隙間に丸棒を縦に複数本取付ける事で、隙間の幅が狭く成りコーンバー（１０）の太さよりも隙間が狭く成りコーンバー（１０）が滑って倒れる事を防ぐ。又コーンバー（１０）を出し入れる時はコーンバー（１０）に柔軟性が有り丸棒の滑り止め（１４）を乗り越えて出し入れが出来る。上側Ｕ字型金物（３）が付けられた同じ縦支柱部（２ａか２ｂ）の下側に下側Ｕ字型金物（４）をも取付、コーンバー（１０）の端に一体と成て付ている、コーンバーの取付リング（１０a）を下側Ｕ字型金物（４）の外辺の一方に差込んで、コーンバーの取付リング（１０a）が、積み込まれたカラーコーン（１１）側にはみ出して接触しない様に、下側Ｕ字型金物（４）の内辺でコーンバーの取付リング(１０a)のはみ出しを押さえる。
【００１１】
左右の縦支柱部（２ａ、２ｂ）のどちらかにコーンバー（１０）が乗せられている為に、保安用具の台車の正面と、コーンバー（１０）が乗せられていない方の横から、カラーコーン（１１）やコーンバー（１０）の取り出し、積み込みが出来る、底盤（１）の裏側の後ろ左右二か所に車輪（７）を付け、保安用具の台車を斜めに倒す事で車輪（７）が地面に付き台車となり、  縦コ字型支柱（２）の上側の上側横辺部（２ｃ）の左右に付けた台車を押す為のＬ字状の取手（８ａ）で保安用具の台車を押す事が出来る、又底盤（１）の裏側の四角に立棒（６）を車輪（７）よりも高く取付け、保安用具の台車を立てる事でそれが四本足と成り、車輪（７）のストパーと成る。底盤（１）の前面にコ字型の取手（８ｂ）を付け、保安用具の台車を倒して車両に横積みの時は、押たり引いたりする時に使用する、又左右の縦支柱部（２ａ、２ｂ）の後ろ側に突き出して上側と下側に付けられた回転筒（１３）に依り床上を移動して車両への積み下ろしが容易である。
【符号の説明】
【００１２】
１    底盤
２    縦コ字型支柱
２ａ  左縦支柱部  
２b   右縦支柱部
２ｃ  上側横辺部
３    上側Ｕ字型金物
４    下側Ｕ字型金物
５    縦板被せ金物
６    立棒
７    車輪
８ａ，Ｌ字状の取手
８ｂ  コ字型の取手
９    フック
１０  コーンバー  
１０a コーンバーの取付リング
１１  カラーコーン
１２  紐  
１３  回転筒
１４  滑り止め  
【図１】
0003231244.tif 000003
【図２】
0003231244.tif 000004
【図３】
0003231244.tif 000005
【手続補正書】
【提出日】令和3年1月13日(2021.1.13)
【手続補正１】
【補正対象書類名】実用新案登録請求の範囲
【補正対象項目名】請求項１
【補正方法】変更
【補正の内容】
【請求項１】
底盤（１）の後方に縦コ字型支柱（２）を設け、縦コ字型支柱（２）の左右どちらか一方の縦支柱部（２ａ又は２ｂ）の上部側にコーンバー（１０）を挟み込む上側Ｕ字型金物（３）を取付け、下部側にコーンバー（１０）の端に一体と成ったコーンバーの取付リング（１０ａ）を通す下側Ｕ字型金物（４）とを取付け、底盤（１）の裏側の後方の左右に車輪（７）と四角に車輪（７）を浮かす為の車輪（７）より高い立棒（６）を取付け、底盤（１）の中央にカラーコーン（登録商標）（１１）を被せる為の複数枚の縦板で構成された縦板被せ金物（５）を取付ける事を特徴とする保安用具の台車。 
【手続補正２】
【補正対象書類名】明細書
【補正対象項目名】全文
【補正方法】変更
【補正の内容】
【考案の詳細な説明】
【技術分野】
【０００１】    本考案は、カラーコーン（登録商標）とそれに付随のコーンバーの保安用具を乗せて運ぶ台車に関するものである。
【背景技術】
【０００２】    工事現場に於いて安全柵として設置するカラーコーン（登録商標）、コーンバー等の設置、配置は人力で運び設置する方法しか無った、カラーコーン（登録商標）、コーンバー等を車両に積込む時は場所を取り、整理整頓が出来なかった。
【先行技術文献】
【特許文献】
【０００３】
【特許文献１】実様新案登録第３２２７３１８
【考案の概要】
【考案が解決しようとする課題】
【０００４】実様新案登録第３２２７３１８号公報の課題（本考案はこの文献の改良である）を記載する。この考案のボンベ吊台は単にボンベを台車に乗せ、現場に降ろすと言う考案で、本考案の様にカラーコーン（登録商標）、コーンバー等の保安用具を台車に乗せて個々の物を運ぶ様な事は出来なかった。本考案の保安用具の台車は、工事現場に於いて安全柵として設置するカラーコーン（登録商標）、コーンバー等の保安用具を積込みして、それを車両で工事現場迄運搬をして、積み替へ無しでそのまま保安用具の台車を車両から降ろし、工事現場の安全柵の設置が一貫して出来る物で，交通の激しい場所であり、敏速で手際よく行はれなければ成らず、それらの解決として、保安用具の台車の使用に依り、体の負荷の低減と、作業の機敏性、作業の能率化、作業の安全性、車両内の整理整頓を解決するものである。
【課題を解決するための手段】
【０００５】本考案の保安用具の台車は、底盤（１）の後方に縦コ字型支柱（２）を設け、縦コ字型支柱（２）の左右どちらか一方の縦支柱部（２ａ又は２ｂ）の上部側にコーンバー（１０）を挟み込む上側Ｕ字型金物（３）を取付け、下部側にコーンバー（１０）の端に一体と成ったコーンバーの取付リング（１０ａ）を通す下側Ｕ字型金物（４）とを取付ける。底盤（１）の裏側の後方の左右に車輪（７）と四角に車輪（７）を浮かす為の車輪（７）より高い立棒（６）を取付ける。底盤（１）の中央にカラーコーン（登録商標）（１１）を被せる為の複数枚の縦板で構成された縦板被せ金物（５）を取付けることを特徴とする。  また、本考案の保安用具の台車では、上側Ｕ字型金物（３）の内側にコーンバー（１０）の滑りを防止する複数本の丸棒を上側Ｕ字型金物（３）の隙間の内側に縦向けに滑り止め（１４）として取り付けてもよい。  また、本考案の保安用具の台車では、左右の縦支柱部（２ａ，２ｂ）の間に上側と下側に回転筒（１３）を縦コ字型支柱（２）よりも後へ突き出るように取付けてもよい。  また、本考案の保安用具の台車では、縦コ字型支柱（２）の上側横辺部（２ｃ）の左右にＬ字状の取手（８ａ）を取付け、左右の縦支柱部（２ａ，２ｂ）に紐（１２）を通すフック（９）を取付け、底盤（１）の前面の中央部にコ字型の取手（８ｂ）を取付けてもよい。
【考案の効果】
【０００６】  本考案の保安用具の台車は、カラーコーン（登録商標）（１１）やそれに付随するコーンバー（１０）の保安用具を、この保安用具の台車に複数個乗せて、それを車両で工事現場迄運搬をして、積み替へ無しでそのまま保安用具の台車を車両から降ろし、工事現場の安全柵の設置が一貫して出来る物で、カラーコーン（登録商標）（１１）やコーンバー（１０）の保安用具を一個毎に工事現場の安全柵に設置が出来て、従来の様にカラーコーン（登録商標）（１１）とコーンバー（１０）を肩に担いでの作業に比べて、体力の負荷の低減、作業の機敏性、作業能率の向上、安全作業、が優れている、又保安用具の台車に保安用具を乗せたまま、車両に積み込む事が出来て、立積み、横積み、が両方出来る保安用具の台車で、カラーコーン（登録商標）（１１）、コーンバー（１０）の保安用具を保安用具の台車に乗せて車両に積込む事で場所も取らず車両内が整理整頓が出来る、保安用具の台車の横積みの時は、縦コ字型支柱（２）の背後に取り付けた、回転筒（１３）により床上を移動し、底盤（１）の前面に付けたコ字型の取手（８ｂ）でスムーズに押し込みが出来る
【図面の簡単な説明】
【０００７】
【図１】本考案の保安用具の台車の斜視図である。
【図２】本考案の保安用具の台車の横面を示す図であり、（ａ）は台車全体を示す図、（ｂ）は上側Ｕ字金物（３）の隙間の内側を示す図、（ｃ）は上側Ｕ字金物（３）を上から見た図、（ｄ）はコーンバー（１０）を乗せた状態を示す図、（ｅ）は下側Ｕ字金物（４）を上から見た図である。
【図３】本考案の保安用具の台車にカラーコーン（登録商標）とコーンバーの保安用具を乗せた状態を示す図である。
【考案を実施するための形態】
【０００８】本考案の保安用具の台車は、その土台と成る底盤（１）の後側に縦コ字型支柱（２）を取付け、その上側の上側横辺部（２ｃ）の左右に台車を押す為のＬ字状の取手（８ａ）を取付ける。
【０００９】底盤（１）の中央にカラーコーン（登録商標）（１１）を保安用具の台車に乗せて運ぶ時の転落防止にカラーコーン（登録商標）（１１）の内円周に沿わして複数本の縦板を取付けられて、構成されている縦板被せ金物（５）が設けられ、縦板被せ金物（５）に弾力性を持たせ、それらにカラーコーン（登録商標）（１１）を被せてカラーコーン（登録商標）（１１）にヒットさせて重ね積みをする。左右の縦支柱部（２ａ、２ｂ）の中程に、カラーコーン（登録商標）（１１）を重ね積みの時に、それらの横転防止の為にフック（９）を取付けそれに紐（１２）を通してカラーコーン（登録商標）（１１）を押さえる。
【００１０】一方の縦支柱部（２ａか２ｂ）にコーンバー（１０）を乗せる為の上側Ｕ字型金物（３）を上側に付け、その隙間にコーンバー（１０）の長さに関係なく挟み込みが出来る、その挟み込んだコーンバー（１０）が滑り倒れがない様に、上側Ｕ字型金物（３）の隙間の内側に複数本の丸棒を縦向けに取付て滑り止め（１４）にする、上側Ｕ字型金物（３）の隙間に丸棒を縦に複数本取付ける事で、隙間の幅が狭く成りコーンバー（１０）の太さよりも隙間が狭く成りコーンバー（１０）が滑って倒れる事を防ぐ。又コーンバー（１０）を出し入れる時はコーンバー（１０）に柔軟性が有り丸棒の滑り止め（１４）を乗り越えて出し入れが出来る。上側Ｕ字型金物（３）が付けられた同じ縦支柱部（２ａか２ｂ）の下側に下側Ｕ字型金物（４）をも取付、コーンバー（１０）の端に一体と成て付ている、コーンバーの取付リング（１０a）を下側Ｕ字型金物（４）の外辺の一方に差込んで、コーンバーの取付リング（１０a）が、積み込まれたカラーコーン（登録商標）（１１）側にはみ出して接触しない様に、下側Ｕ字型金物（４）の内辺でコーンバーの取付リング(１０a)のはみ出しを押さえる。
【００１１】左右の縦支柱部（２ａ、２ｂ）のどちらかにコーンバー（１０）が乗せられている為に、保安用具の台車の正面と、コーンバー（１０）が乗せられていない方の横から、カラーコーン（登録商標））（１１）やコーンバー（１０）の取り出し、積み込みが出来る、底盤（１）の裏側の後ろ左右二か所に車輪（７）を付け、保安用具の台車を斜めに倒す事で車輪（７）が地面に付き台車となり、  縦コ字型支柱（２）の上側の上側横辺部（２ｃ）の左右に付けた台車を押す為のＬ字状の取手（８ａ）で保安用具の台車を押す事が出来る、又底盤（１）の裏側の四角に立棒（６）を車輪（７）よりも高く取付け、保安用具の台車を立てる事でそれが四本足と成り、車輪（７）のストパーと成る。底盤（１）の前面にコ字型の取手（８ｂ）を付け、保安用具の台車を倒して車両に横積みの時は、押たり引いたりする時に使用する、又左右の縦支柱部（２ａ、２ｂ）の後ろ側に突き出して上側と下側に付けられた回転筒（１３）に依り床上を移動して車両への積み下ろしが容易である。
【符号の説明】
【００１２】１    底盤２    縦コ字型支柱２ａ  左縦支柱部  ２b   右縦支柱部２ｃ  上側横辺部３    上側Ｕ字型金物４    下側Ｕ字型金物５    縦板被せ金物６    立棒７    車輪８ａ，Ｌ字状の取手８ｂ  コ字型の取手９    フック１０  コーンバー  １０a コーンバーの取付リング１１  カラーコーン（登録商標）１２  紐  １３  回転筒１４  滑り止め